(57)【要約】【課題】作業の妨げにならずに、なおかつ装着者が飲水する力を要せずスムーズに飲水できる水飲み機構をもつ防護マスクを提供する。【解決手段】呼吸用の空気をマスク内に供給するための空気ボンベと飲料水をマスク内に供給するための水筒を備えてなる防護マスクにおいて、該水筒内の空気圧を加圧する機構を設ける。【選択図】　　　図３
2004141455.tif 000002
【特許請求の範囲】
【請求項１】
呼吸用の空気をマスク内に供給するための空気ボンベと飲料水をマスク内に供給するための水筒を備えてなる防護マスクにおいて、該水筒内の空気圧を加圧する機構を備えたことを特徴とする防護マスク。
【請求項２】
該水筒内の空気圧を加圧する機構が空気ボンベ内の空気を該水筒内に供給する機構からなる請求項１記載の防護マスク。
【請求項３】
マスク内に供給された水の水の飲み口が噛むことで開閉の制御が可能な弁機構をもつ請求項１又は２に記載の防護マスク。
【発明の詳細な説明】
【０００１】
【発明の属する技術分野】
本発明は呼吸用の空気を空気ボンベからマスク内に供給する方式の防護マスクに関し、特に水飲み機構を備えた上記方式の防護マスクに関する。
【０００２】
【従来の技術】
防護マスク、特に消防分野等で用いられる全面タイプの防護マスクは、長時間装面が必要であることから、生存条件の１つとして防護マスクを装着したまま水を飲むことができるようにした水飲み機構を備えることが要求されている。このような水飲み機構を備えた防護マスクの例としては、水筒の位置を上方にかかげて重力の作用によって水筒内水の水が下がるのを利用して引水する方式のもの（たとえば特許文献１参照）や水筒用キャップ内部に伸縮自在な蛇腹部を設け、飲水した際、水筒内の体積を減らすことで水筒の内圧が低下するのを防止し、飲水し易くした方式のもの（たとえば特許文献２参照）が知られている。
しかし、特許文献１に開示されている方式の場合、水筒の材質が硬質材料によって作られていると、水を吸飲するにしたがって、水筒内が負圧状態になり、飲水に大きな力が必要となる。このため、水筒の位置を上方にかかげて重力の作用によって水筒内水の水が下がるのを利用して飮水する必要があり、飮水中、装着者の片手が水筒を持つことで塞がれ作業の妨げになることがある。
【０００３】
また特許文献２に開示されている方式は、水筒用キャップ内部に伸縮自在な蛇腹部を設けることで水筒内の体積を減らし、水筒の内圧が低下するのを防止するというものであるが、作業者が飲水する際には吸い上げるという動作のための力が必要となり、このため、重労働中の装着者には飲水するという動作が過度の負担になってしまうことを防ぎ得ない。
【０００４】
【特許文献１】特開平６−３４６５２号公報
【特許文献２】特開平１１−２０６８９８号公報
【０００５】
【発明が解決しようとする課題】
本発明の目的は、上記した従来技術の問題点を解決することにあり、特に作業の妨げにならずに、かつ装着者が飲水する力を要せずスムーズに飲水できる水飲み機構を備えた防護マスクを提供することにある。
【０００６】
【課題を解決するための手段】
本発明は、呼吸用の空気をマスク内に供給するための空気ボンベと飲料水をマスク内に供給するための水筒を備えてなる防護マスクにおいて、該水筒内の空気圧を加圧する機構を備えたことを特徴とする防護マスクである。
特に、水筒内の空気圧を加圧する機構として空気ボンベ内の空気を水筒内に供給する方式のものが好ましく用いられる。
また水筒内の水はパイプを介してマスク内に供給されるが、本発明では、飲み口部即ちパイプの先端に装着者が噛むことで開閉する弁機構をもつものを用いることが好ましい。
【０００７】
【発明の実施の形態】
呼吸用の空気を空気ボンベからマスク内に供給する方式の防護マスクは、通常背負い具、空気ボンベ、減圧弁、ホース、レギュレータ、面体から構成されている。空気ボンベに減圧弁がネジによる接合がされており、その空気出口にホースが取り付けられている。そのホースの一端はレギュレータに接続されている。そのレギュレータを面体に取り付け、作業者が呼吸をすることで、空気が供給される仕組みになっている。
【０００８】
以下、図面に基づいて本発明の防護マスクについて更に詳しく説明する。図面は本発明の防護マスクの好ましい一例を示すものであり、本発明を制限するものではない。
図１及び図２は本発明の防護マスクの全体を示す説明図であり、図１は背面を示し、図２は前面を示す。また図３は主に面体部を示す説明図であり、（Ａ）は前面を示し、（Ｂ）は側面を示す。
【０００９】
空気ボンベ１のそく止弁２を開くと、ボンベ内の空気は減圧弁３を通過し１Ｍｐａ未満に減圧される。減圧された空気は減圧弁３の空気出口に接続されたホース４を通り、レギュレータ５へと到達する。
面口部には、マスクの内外面を貫通して貫通口を設け、これに柔軟性を有する水用パイプ９が気密状態で取り付けられており、水用パイプ９の一端はマスク外側にある水筒８に接続されている。その水用パイプ９の他端はマスク内側で着用者の飲み口１１を構成し、この飲み口を通して飲水する。
【００１０】
本発明の好ましい態様においては、図３に示すように、レギュレータ５には呼吸用の空気を制御するための弁とは別に、水筒に空気を送るための調整弁６も併設されている。この弁はネジ式、プッシュ式、電動開閉式と開閉機構を限定することなく実現することができる。また弁の代用として圧力を制御できるレギュレータを使用すれば常時弁を開放しておくことが可能になり、手動で弁を開け締めする動作が不用になる。調整弁６を開けると減圧弁３によって減圧された空気は空気用パイプ７を通り、水筒８に到達することで水筒内の圧力を増加させる。水筒には一定以上の圧力がかからないように圧力逃がし弁１０が取り付けられている。この弁の作用により水筒に一定以上の圧力がかかることを防止でき、水筒の破損を防止することができる。水筒内の圧力が一定圧になると、水筒内の水は水用パイプ９を通り、面体１３内の水飲み口１１に到達する。飲み口先端には、図４に示すように、噛むことで開閉する弁が内蔵されており飲水していない時に水が漏れることを防止している。
【００１１】
水用パイプ、特にその飲み口近傍はポリオレフィンその他の可撓性プラスチックやシリコーンゴム等のゴム類等で形成することが好ましい。この飲み口の中央部にはスリット状の弁１２が設けられている。この弁は通常状態では図４の（Ｂ）に示すように閉じている。この弁を口にくわえて軽く噛むことで図４の（Ｃ）に示すように弁は開く。弁が開くことで水が装着者に供給され、のどを潤すことができる。
【００１２】
上記したように、本発明の好ましい態様では、水筒に、そのなかの水をマスク内面の飲み口まで運ぶ水用パイプと空気ボンベ内の空気をバイパス方式で水筒内に運んで水筒内部を空気圧によって加圧するための空気パイプとが接続されているが、他の手段によって水筒内を加圧することも可能であり本発明に包含される。このような手段の一例としては手動ポンプによる加圧方式等がある。これらは上記の空気ボンベからの空気を利用する空気パイプ方式に比し効果は劣るが、防護マスクの使用直前に加圧操作を行うこと等によって一定の効果を得ることができる。
【００１３】
【発明の効果】
本発明の防護マスクを用いることにより、消防作業等の現場において、作業の妨げにならずに、なおかつ装着者が飲水する力を要せずスムーズに飲水することが可能となり、その社会的意義は極めて大きいものである。
【図面の簡単な説明】
【図１】本発明の防護マスクの全体を示す背面からの説明図。
【図２】本発明の防護マスクの全体を示す前面からの説明図。
【図３】本発明の防護マスクの部分説明図。
【図４】本発明の防護マスクの飲料水飲み口の説明図。
【符号の説明】
１　　空気ボンベ
２　　そく止弁
３　　減圧弁
４　　ホース
５　　レギュレータ
６　　調整弁
７　　空気用パイプ
８　　水筒
９　　水用パイプ
１０　　圧力逃がし弁
１１　　水飲み口
１２　　スリット状の弁
１３　　面体
１４　　背負い具
【図１】
2004141455.tif 000003
【図２】
2004141455.tif 000004
【図３】
2004141455.tif 000005
【図４】
2004141455.tif 000006